(57)【要約】【課題】本発明は、このような問題を解決する為になされたものであり、人力で狭く深い溝や穴を掘削したり、それらの底に残留する土砂や石をすくい取る作業を溝や穴の底に降りることなく容易に行えると共に、通常のスコップとしての作業をも行える穴掘り工具を提供することを課題とする。【解決手段】本発明の穴掘り工具は、対向する２本の柄２、１２を回動自在に枢支し、柄２の下端に各々対向してスコップ部３、１３を設けた工具において、柄２、１２を係脱自在に形成したものである。【選択図】図３
2006233737.tif 000002
【特許請求の範囲】
【請求項１】
対向する２本の柄を回動自在に枢支し、該柄の下端に各々対向してスコップ部を設けた工具において、前記柄を係脱自在に形成したことを特徴とする穴掘り工具。
【発明の詳細な説明】
【技術分野】
【０００１】  本発明は、地面に比較的小さな穴を掘る際等に使用する穴掘り工具に関するものである。
【背景技術】
【０００２】  一般に深い溝や穴を掘る作業では、つるはしやスコップを用いた人力による作業のほか、種々の機械による作業が行われている。しかしながら、溝や穴が狭く深い場合には、このような作業を十分に行える広さがなく、作業に困難を来している。【０００３】  そこで、２つのスコップを組み合わせた穴掘り工具が提案された。（特許文献１）この穴掘り工具は、人力で狭く深い溝や穴を掘削したり、それらの底に残留する土砂や石をすくい取る作業を溝や穴の底に降りることなく容易に行えると共に、土中に埋設した比較的大きな石等を持ち上げる作業を比較的容易に行える等の利点がある。【０００４】  しかしながら、この穴掘り工具は、上述した使用においては、大きな利点があるものの、通常のスコップとしての使用はできず、従って、通常の作業においては、上記穴掘り工具と、通常のスコップの両方が必要となり、車が進入できない場所での作業の際には、上記穴掘り工具と通常のスコップの両方を人力にて運搬しなければならず、作業者に大きな負担となる問題があった。【０００５】
【特許文献１】実用新案登録第３０６８８６６号
【発明の開示】
【発明が解決しようとする課題】
【０００６】  本発明は、このような問題を解決する為になされたものであり、人力で狭く深い溝や穴を掘削したり、それらの底に残留する土砂や石をすくい取る作業を溝や穴の底に降りることなく容易に行えると共に、通常のスコップとしての作業をも行える穴掘り工具を提供することを課題とする。
【課題を解決するための手段】
【０００７】  上記課題を解決するための穴掘り工具は、対向する２本の柄を回動自在に枢支し、該柄の下端に各々対向してスコップ部を設けた工具において、前記柄を係脱自在に形成したことを特徴とする。
【発明の効果】
【０００８】  本発明によれば、人力で狭く深い溝や穴を掘削したり、それらの底に残留する土砂や石をすくい取る作業を溝や穴の底に降りることなく容易に行えると共に、柄を分離することにより各々を通常のスコップとして使用することができ、使用勝手を向上することができるものであり、特に、狭い場所での作業や、深い穴等を掘る作業に最適な工具を提供することができる等の効果を奏する。
【発明を実施するための最良の形態】
【０００９】  次に図面を参照しながら本発明を詳細に説明する。図１は本発明の一実施形態の穴掘り工具を示す側面図、図２は同穴掘り工具を分離した状態を示す平面図、図３は同穴掘り工具を分離する状態を示す斜視図、図４から図６は穴掘り工具の柄の係脱機構を説明する斜視図であり、図４は柄を分離した状態を示す斜視図、図５は軸部を孔部に挿入した状態を示す斜視図、図６は使用状態を示す斜視図である。【００１０】  本発明の穴掘り工具は、１は第１のスコップで、金属あるいは木製の柄２の下端に、先端を鋭く尖らせた半円筒状のスコップ部３を固定すると共に、柄２の上端に把手部４を形成している。前記柄２は図２に示すように、中央よりも下方側において左側に屈曲した屈曲部５が形成されており、この左側への屈曲代は、柄２の幅の略半分に設定されている。前記柄２は、図２に示すように、屈曲部５の上方部分（把手部４側）と下方部分（スコップ部３側）とが、同一直線上になるように形成されている。【００１１】  前記屈曲部５には、図２及び図４に示すごとく、軸部６が右側に向かって突出するように形成されており、軸部６の先端には、非円形、本実施の形態では、縦長の菱形形状の頭部７が形成されている。【００１２】  本実施の形態では、屈曲部５は左側に屈曲して形成したが、柄２の右側部分を削った薄肉状に形成してもよい。屈曲部５は十分な強度を得るために、金属にて形成されることが好ましい。【００１３】  １１は第２のスコップで、金属あるいは木製の柄１２の下端に、先端を鋭く尖らせた半円筒状のスコップ部１３を固定すると共に、柄１２の上端に把手部１４を形成している。前記柄１２は図２に示すように、スコップ部３、１３の作業面を向かい合わせた状態で、柄１２が柄２と対象になるように、中央よりも下方側において右側に屈曲した屈曲部１５が形成されており、この右側への屈曲代は、柄１２の幅の略半分に設定されている。前記柄１２は、図２に示すように、屈曲部１５の上方部分（把手部１４側）と下方部分（スコップ部１３側）とが同一直線上になるように形成されている。前記柄２と柄１２は、スコップ部３、１３の作業する面を同じ方向に向けた状態では、屈曲部５と屈曲部１５とが同形状の屈曲となるように形成されている。【００１４】  前記屈曲部１５には、図２及び図４から図６に示すごとく、前記軸部６が嵌り込む軸部６の頭部７と同形状の孔部１７が形成されており、軸部６の頭部７と孔部１７の形状が合致する位置で第１のスコップ１と第２のスコップ１１が着脱できるようになっている。【００１５】  本実施の形態では、屈曲部１５は右側に屈曲して形成したが、第１のスコップ１の柄２と同様に、柄１２の左側部分を削った薄肉状に形成してもよい。屈曲部１５は十分な強度を得るために、金属にて形成されることが好ましい。【００１６】  前記柄２の軸部６が形成される部分及び柄１２の孔部１７が形成される部分は、大きな力が加わることを想定して、十分な補強を施している。【００１７】  而して、第１のスコップ１と第２のスコップ１１とを、軸部６の頭部７と孔１７が合致する位置で嵌め合わせ（図４及び図５参照）、軸部６を支点として互いに回動させる（図６参照）。回動させた状態では、頭部７と孔部１７の形状が合致しないので、両スコップ１、１１が分離することなく、回動自在な状態で一体的に使用することが可能となる。この状態では、図１に示すごとく、各々のスコップ１、１１の把手部４、１４とスコップ部３、１３が支点となる軸部６に対して互いに反対側に位置するように、即ち、支点となる軸部６で交差するようになっており、把手部４、１４を近づけるように操作することで、スコップ部３、１３が閉じるようになっている。【００１８】  この状態での使用に際しては、把手部４、１４を開き、スコップ部３、１３を離間させた状態で、地面に突き刺し、把手部４、１４を合わせるようにしてスコップ部３、１３を閉じさせながら、工具を引き上げ、土砂等をすくい上げる。これを繰り返して、孔や溝を掘るが、両スコップ部３、１３間に土砂等を挟んですくい上げることができるので、孔や溝等を大きくすることなく作業することができると共に、コンクリートやアスファルトなどを施した場所においても、最小限のコンクリートやアスファルトなどを剥離するだけで作業することができ、作業効率を向上させることができる。【００１９】  両スコップ１、１１が支点で交差するように形成しているので、把手部４、１４を閉じ合わせることにより、スコップ部３、１３を閉じることができ、穴や溝等を掘る際に、柄２，１２が邪魔にならずに、作業することができ、穴等の径を大きくすることなく深く掘ることができると共に、土砂等を引き上げる際に、片手で把手部４、１４を握って引き上げることができ、作業性を向上することができる。【００２０】  屈曲部５、１５は柄２、１２の幅の略半分の屈曲代に設定することにより、あるいは薄肉とすることにより、把手部４、１４の中心とスコップ部３、１３の中心を略同一にすることができ、把手部４、１４に加える力を確実にスコップ部３、１３に加えることができ、作業性を向上することができる。【００２１】  第１のスコップ１と第２のスコップ１１を回動し、軸部６の頭部７と孔部１７の形状が合致する位置で分離することにより、両スコップ１、１１を通常のスコップとして使用することができる。その際、第１のスコップ１の軸部６及び第２のスコップ１１の孔部１７は、スコップ部３、１３の作業する面と直交する面に形成されているので、軸部６が邪魔になったり、孔部１７に土砂等が侵入するのを極力防止することができる。尚、孔部１７は、必要に応じて帯状のものを巻回するなどして土砂等の侵入を確実に防止するようにしてもよい。【００２２】  上記実施の形態においては、第１のスコップ１と第２のスコップ１１の２種類のスコップを形成したが、第２のスコップ１１のみとし、一対の第２のスコップ１１の一方に、軸部６を設けた帯状の部品をネジ等により固定することにより第１のスコップ１として用いるようにしてもよい。【００２３】  また、第１のスコップ１と第２のスコップ１１とを共通のスコップを用いるために、次のような構成としてもよい。即ち、スコップの屈曲部に、円弧状に溝を形成し、溝の一端側にＬ字状の爪片を形成すると共に、溝の他端側に前記爪片を溝に挿入するための幅広部を形成し、一対のスコップを互いの爪片が溝の幅広部に合致する位置で組み合わせ、回動させて図１の状態とする。この構成においては、円弧状の溝の中心点を回動の中心として一対のスコップを回動させて上述した実施形態と同様に使用でき、爪片と溝の幅広部が合致する位置で、一対のスコップを分離することができる。
【図面の簡単な説明】
【００２４】
【図１】本発明の一実施形態の穴掘り工具を示す側面図である。
【図２】同穴掘り工具を分離した状態を示す平面図である。
【図３】同穴掘り工具を分離する状態を示す斜視図である。
【図４】同穴掘り工具の柄を分離した状態を示す斜視図である。
【図５】同穴掘り工具の柄の軸部を孔部に挿入した状態を示す斜視図である。
【図６】同穴掘り工具の柄を回動させた使用状態の軸部と孔部の関係を示す斜視図である。
【符号の説明】
【００２５】１    第１のスコップ
２    柄
３    スコップ部
４    把手部
５    屈曲部
６    軸部
１１  第２のスコップ
１２  柄
１３  スコップ部
１４  把手部
１７  孔部
【図１】
2006233737.tif 000003
【図２】
2006233737.tif 000004
【図３】
2006233737.tif 000005
【図４】
2006233737.tif 000006
【図５】
2006233737.tif 000007
【図６】
2006233737.tif 000008